(57)【要約】【課題】包装紙を品物に装着するためのテープ片を包装紙に貼付するテープ貼付装置を提供する。【解決手段】包装箱の長手方向の範囲内で少なくとも天面および両側面を覆うように装着される包装紙２５に対する片面粘着テープのテープ片貼付装置１であって、セロハンテープ１０を保持するテープ保持部２と、テープ保持部２で保持されるセロハンテープ１０の端部２３を係止するテープ係止部４と、テープ係止部４から引き出されたセロハンテープ１０の端部２３を切断するテープ切断部５と、テープ切断部５で分離されたセロハンテープ片１２を包装紙２５の端縁部３５に運搬するテープ片運搬部６と、セロハンテープ片１２を包装紙２５の端縁部３５に貼り付けるテープ片貼付部７とを備えるので、包装紙２５を品物に包装するためのセロハンテープ片１２を包装紙２５に貼り付けることができる。【選択図】図１
2011241000.tif 000002
【特許請求の範囲】
【請求項１】
包装箱の長手方向の範囲内で少なくとも天面および両側面を覆うように装着される包装紙に対する片面粘着テープのテープ片貼付装置であって、
テープを保持するテープ保持部と、テープ保持部で保持されるテープの端部を係止するテープ係止部と、テープ係止部から引き出されたテープの端部を切断するテープ切断部と、テープ切断部で分離されたテープ片を包装紙の端部に運搬するテープ片運搬部と、テープ片を包装紙の端部に貼り付けるテープ片貼付部とを備えることを特徴とするテープ片貼付装置。
【発明の詳細な説明】
【技術分野】
【０００１】
本発明は、テープ貼付装置に関し、より詳細には品物に包装紙を装着するためのテープを包装紙の端部に貼付するテープ貼付装置の技術に関する。
【背景技術】
【０００２】
贈答品に包装紙またはのし紙を装着する場合には、品物に装着する包装紙またはのし紙（以下、包装紙という。）の端部に予めテープが貼られ、テープが貼られた包装紙と品物との位置合わせをした後に、包装紙が品物に装着される。あるいはテープが貼られていない包装紙と品物との位置合わせをした後に、位置合わせがされた状態を維持して包装紙の端部にテープが貼られ、テープが貼られた包装紙が品物に装着されている。
【発明の概要】
【発明が解決しようとする課題】
【０００３】
このように品物に包装紙を装着する作業は、人の手によって行われており、包装紙の端部にテープを貼る作業も手作業で行われている。包装紙に手作業でテープが貼られているので作業に長い時間を要し、さらに包装紙に貼られるテープの位置および向きが揃わないので贈答品の外観が損なわれるという問題があった。
【０００４】
包装紙と品物との位置決めを人の手で行わず、位置決め装置を用いて自動的に行う場合に、位置決め装置に供給される包装紙に予めテープが貼られていれば作業時間のさらなる短縮が図られ、テープ位置が揃った贈答品を提供することができる。
【０００５】
本発明の目的は、このような課題を解決するもので、包装紙を品物に装着するためのテープ片を包装紙に貼付するテープ貼付装置を提供することである。
【課題を解決するための手段】
【０００６】
この課題を解決するために本発明は、包装箱の長手方向の範囲内で少なくとも天面および両側面を覆うように装着される包装紙に対する片面粘着テープのテープ片貼付装置であって、テープを保持するテープ保持部と、テープ保持部で保持されるテープの端部を係止するテープ係止部と、テープ係止部から引き出されたテープの端部を切断するテープ切断部と、テープ切断部で分離されたテープ片を包装紙の端部に運搬するテープ片運搬部と、テープ片を包装紙の端部に貼り付けるテープ片貼付部とを備えるものである。
【発明の効果】
【０００７】
請求項１記載の発明によれば、テープ片貼付装置は、テープを保持するテープ保持部と、テープ保持部で保持されるテープの端部を係止するテープ係止部と、テープ係止部から引き出されたテープの端部を切断するテープ切断部と、テープ切断部で分離されたテープ片を包装紙の端部に運搬するテープ片運搬部と、テープ片を包装紙の端部に貼り付けるテープ片貼付部とを備えるので、包装紙を品物に装着するためのテープ片を包装紙に貼り付けるテープ貼付装置を提供することができる。
【図面の簡単な説明】
【０００８】
【図１】本発明の一実施形態におけるテープ片貼付装置１の正面図である。
【図２】テープ片貼付装置１の平面図である。
【図３】テープ保持部２の断面図である。
【図４】テープ切断部５の詳細図である。
【図５】Ａ矢視図である。
【図６】テープ係止部４とテープ片運搬部６との平面図である。
【図７】Ｂ矢視図である。
【図８】テープ係止部４とテープ片運搬部６との平面図である。
【図９】Ｃ矢視図である。
【図１０】テープ切断部５の詳細図である。
【図１１】テープ片が包装紙２５に貼付された状態を示す詳細図である。
【発明を実施するための形態】
【０００９】
以下、本発明の一実施形態について図１〜図９に基づいて説明する。図１は、本発明の一実施形態におけるテープ片貼付装置１の平面図であり、図２は、テープ片貼付装置１の平面図である。テープ片貼付装置１は、セロハンテープ１０を保持するテープ保持部２と、セロハンテープ１０の流れ方向を水平方向に規制するテープ支持部３と、テープ保持部２に保持されたセロハンテープ１０の端部２３を係止するテープ係止部４と、テープ係止部４に係止されたセロハンテープ１０の端部２３をテープ本体１０から切り離すテープ切断部５と、テープ切断部５によって切り離されたセロハンテープ片１２を包装紙２５に運搬するテープ片運搬部６と、テープ片運搬部６によって運搬されたセロハンテープ片１２を包装紙２５の端縁部３５に貼付するテープ片貼付部７とを備える。
【００１０】
図３は、テープ保持部２の断面図である。テープ保持部２は軸芯１３が水平方向に向き、フレーム１４に固定されたシャフト１５を有し、シャフト１５に嵌合されたブッシュ１６とともに回転可能な円盤状のテープホルダ１７を備える。環状に巻かれた市販のセロハンテープ（たとえばニチバン社製  型番ＣＴ−４０５ＡＰ−１５）１０は、軸芯側面１８がテープホルダ１７に固定され、軸芯１３の他方側の側面１９が押さえ板２０で押圧された状態でテープホルダ１７に装着される。なお、セロハンテープ１０は後述するように、テープ片貼付装置１の上方を流れる包装紙２５の下面に貼付されるので、セロハンテープ１０はテープ保持部２から引き出したときに接着面が上方に向くように設置される。
【００１１】
テープ係止部４はエアチャック２１を備え、テープ保持部２の後方に設置される。エアチャック２１はフレーム１４に取付けられ、テープ保持部２から引き出されたセロハンテープ１０の端部２３を把持する。略円筒形であるテープ支持部３は、テープ保持部２とテープ係止部４のエアチャック２１との間に設けられ、水平方向に向いた取付け軸２２を中心として回転可能である。テープ支持部３は、セロハンテープ１０の非接着面である下面２４をテープ支持部３の外周面に当接させてセロハンテープ１０の流れ方向を水平方向に規制する。
【００１２】
テープ係止部４の後方に設置されるテープ片運搬部６は、エアチャック２６を備える。テープ片運搬部６は、水平方向に駆動するエアシリンダ２７のロッドに上下方向に駆動するエアシリンダ２８が取付けられており、エアチャック２６は上下方向に駆動するエアシリンダ２８のロッドに取付けられる。エアチャック２６は、テープ係止部４からセロハンテープ１０の端部２３を受け取り、水平方向に移動してセロハンテープ１０を引き出す。エアチャック２６は、さらに後述のテープ切断部５で分離されたテープ片１２を包装紙２５の端縁部３５まで運搬する（図１１参照）。
図４はテープ切断部５の詳細図であり、図５はＡ矢視図である。テープ切断部５は、エアチャック２１の後方であってセロハンテープ１０の下方に設置され、先端がＶ字形の凸状となった六角形のカッター刃（オルファ社製マットカッター４５度替刃  品番ＸＢ４５）３２を備える。カッター刃３２は、上下方向に移動可能なリニアガイド３３に取付けられエアシリンダ３４で駆動される。テープ切断部５は、テープ片運搬部６のエアチャック２６がセロハンテープ１０を引き出して再び原点に戻った後に、セロハンテープ１０を切断する。
【００１３】
図６は、テープ係止部４とテープ片運搬部６との平面図であり、図７は、Ｂ矢視図である。エアシリンダ２７が前方に駆動されて、エアチャック２６がエアチャック２１と対向する位置まで移動してセロハンテープ１０の端部２３を把持する。エアチャック２１は、セロハンテープ１０の幅に対して左側半分より狭い範囲を把持しており、セロハンテープ１０の端部２３を受け取る側のエアチャック２６は、右側半分より狭い範囲のセロハンテープ１０を把持する。エアチャック２１の把持が解除された後にエアシリンダ２７が後方に駆動されてセロハンテープ１０が引き出される。
【００１４】
図８は、テープ係止部４とテープ片運搬部６との平面図である。セロハンテープ１０の流れ方向に向いたとき、セロハンテープ１０の端部２３右側がカッター刃３２の後方に位置するテープ片運搬部６のエアチャック２６で把持され、カッター刃３２の前方左側がテープ係止部４のエアチャック２１で把持されている状態で、カッター刃３２が上昇してセロハンテープ１０が切断される。Ｖ字形のカッター刃３２先端がセロハンテープ１０の中央に突入された後に中央部から幅方向両側に向かってカッター刃３２が入っていくので、セロハンテープ１０が斜めに切断されることがなく、流れ方向と直交する方向にきれいに切断される。
【００１５】
なお、テープ係止部４またはテープ片運搬部６のエアチャック２１，２６が解除されたときにセロハンテープ１０の接着面である上面２９から離れやすくするために、セロハンテープ１０の上面２９側に当接するエアチャック２１，２６の当接面３０，３１は、たとえば幅狭な形状とした樹脂が用いられる。
【００１６】
図９は、Ｃ矢視図である。テープ片貼付部７は、セロハンテープ１０の流れ方向に向かってテープ片運搬部６の左側に設置される。テープ片貼付部７は、テープ片１２の接着面である上面２９を包装紙２５の端縁部３５に押圧してテープ片１２を貼付する。
【００１７】
ここで、テープ片１２が包装紙２５の端縁部３５に貼付される手順について説明する。テープ保持部２に保持されたセロハンテープ１０の端部２３が人の手によって引き出される。引き出されたセロハンテープ１０は、テープ支持部３で水平方向に向きを変えてテープ係止部４のエアチャック２１で把持される。セロハンテープ１０の流れ方向に向いたとき、テープ係止部４のエアチャック２１はセロハンテープ１０の左側半分３６を把持している。図１，図２は、このときの状態を表している。
【００１８】
包装紙２５が所定の位置に供給されると、テープ片運搬部６を水平方向に駆動するエアシリンダ２７が駆動され、テープ片運搬部６のエアチャック２６が開いた状態で前方に移動する。前方に移動するテープ片運搬部６のエアチャック２６は、テープ係止部４のエアチャック２１とセロハンテープ１０の幅方向に並んで対向した状態となる。このときテープ片運搬部６のエアチャック２６はセロハンテープ１０の右側半分４１に位置する。図６は、このときのテープ係止部４とテープ片運搬部６との位置関係を示す平面図である。テープ片運搬部６のエアチャック２６が駆動されてセロハンテープ１０の右側半分４１を把持した後に、テープ係止部４のエアチャック２１が解除される。図７はこのときの状態を示している。
【００１９】
つぎにテープ片運搬部６は水平方向に駆動するエアシリンダ２７を後方に駆動して、エアチャック２６がセロハンテープ１０の端部２３を把持して後方に移動する。テープ片運搬部６のエアチャック２６は、包装紙２５にテープ片１２が貼付される位置まで水平移動する。このとき図８に示す状態となる。
【００２０】
テープ片運搬部６のエアチャック２６が水平移動した後に、テープ係止部４のエアチャック２１が駆動されてセロハンテープ１０の左側半分を再び把持する。セロハンテープ１０の前後が把持された状態で、テープ切断部５のエアシリンダ３４が駆動され、テープ片運搬部６のエアチャック２６とテープ係止部４のエアチャック２１との間に設けられたカッター刃３２が上昇してセロハンテープ１０を切断する。図１０は、このときの状態を示す。カッター刃３２は、その後下降して原点位置に戻る。カッター刃３２がセロハンテープ１０を切断すると、テープ片運搬部６のエアチャック２６を上下方向に駆動するエアシリンダ２８が駆動され、テープ片運搬部６のエアチャック２６がセロハンテープ片１２を把持した状態で上方に移動する。エアチャック２６は、セロハンテープ片１２の左側半分３６が包装紙２５の下面に当接する位置まで上昇する。
【００２１】
テープ片運搬部６のエアチャック２６が上昇した後にテープ片貼付部７のエアシリンダ３８が駆動され、セロハンテープ片１２の左側半分３６を押圧する押圧片３９が上昇してセロハンテープ片１２の接着面である上面２９を包装紙２５の下面４０に貼付する。図１１は、このときの状態を示す。テープ片運搬部６のエアチャック２６がセロハンテープ１０の幅方向の右側半分４１を把持し、把持していないセロハンテープ片１２の左側半分３６が包装紙２５の端縁部３５下方に位置するように包装紙２５が位置決めされる。なお、テープ片１２が貼られる包装紙２５の上面側には当て板３７が設けられており、当て板３７によって包装紙２５が固定される。その後、エアシリンダ３８が下降方向に駆動されテープ片運搬部５のエアチャック２６は下降して原点に戻る。
なお、本実施例においては、包装紙２５の片方の端縁部３５にセロハンテープ片１２を貼り付ける場合について説明したが、包装紙２５の他方の端縁部３５にも同様にテープ片貼付装置１を設置することによって包装紙２５の両側にセロハンテープ片１２を貼り付けることができる。
【００２２】
また、包装紙２５が自動供給される場合について説明してきたが、包装紙２５が自動供給されるものに限定されない。たとえば人の手によって所定の位置に包装紙２５が設置される場合にも適用可能である。
【００２３】
このように、包装箱の長手方向の範囲内で少なくとも天面および両側面を覆うように装着される包装紙２５に対する片面粘着テープのテープ片貼付装置１であって、セロハンテープ１０を保持するテープ保持部２と、テープ保持部２で保持されるセロハンテープ１０の端部２３を係止するテープ係止部４と、テープ係止部４から引き出されたセロハンテープ１０の端部２３を切断するテープ切断部５と、テープ切断部５で分離されたセロハンテープ片１２を包装紙２５の端縁部３５に運搬するテープ片運搬部６と、セロハンテープ片１２を包装紙２５の端縁部３５に貼り付けるテープ片貼付部７とを備えるので、包装紙２５を品物に包装するためのセロハンテープ片１２を包装紙２５に貼り付けることができる。
【符号の説明】
【００２４】
１    テープ片貼付装置１
２    テープ保持部
３    テープ支持部
４    テープ係止部
５    テープ切断部
６    テープ片運搬部
７    テープ片貼付部
１０    セロハンテープ
１２    テープ片
１３    軸芯
１４    フレーム
１５    シャフト
１６    ブッシュ
１７    テープホルダ
１８，１９    側面
２０    押さえ板
２１，２６    エアチャック
２２    取付け軸
２３    端部
２４    下面
２５    包装紙
２７，２８，３４，３８    エアシリンダ
２９，４０    上面  
３０，３１    当接面
３２    カッター刃  
３３    リニアガイド
３５    端縁部
３６    左側半分
３７    当て板
３９    押圧片
４１    右側半分
【図１】
2011241000.tif 000003
【図２】
2011241000.tif 000004
【図３】
2011241000.tif 000005
【図４】
2011241000.tif 000006
【図５】
2011241000.tif 000007
【図６】
2011241000.tif 000008
【図７】
2011241000.tif 000009
【図８】
2011241000.tif 000010
【図９】
2011241000.tif 000011
【図１０】
2011241000.tif 000012
【図１１】
2011241000.tif 000013